(57)【特許請求の範囲】
【請求項１】
開口部を有するとともに、内部にリボンカセットが着脱可能に取り付けられている本体ケースと、記録媒体を収納する記録媒体収納部を、開口状態においても、水平面に対し、前記記録媒体収納部から前記記録媒体が落下しない方向に所定の角度を有する状態で備えるとともに、前記本体ケースにヒンジ部材を介して連結されることで前記本体ケースの開口部を開閉可能に閉塞する蓋体とを備える印字装置であって、
前記本体ケースは、前記ヒンジ部材付近に設けられ第１及び第２の被係合面を有する被係合部を備え、
前記リボンカセットは、インクリボンを供給するリボン供給部と、インクリボンを巻き取るリボン巻取り部と、前記両部を連接する連接部と、前記連接部から突出して設けられた把持部と、前記被係合部の第１の被係合面に当接して、カセット取出しのための回転中心を形成する第１の係合面と、前記リボンカセットの取出し時に、前記第１の係合面に続いて前記被係合部の第２の被係合面に当接し、カセット取出しのための別の回転中心を形成する第２の係合面とを備えることを特徴とする印字装置。
【請求項２】
請求項１に記載の印字装置を備えたことを特徴とするファクシミリ装置。
【発明の詳細な説明】
【０００１】
【発明の属する技術分野】
本発明は、印字装置及びファクシミリ装置に関するものである。
【０００２】
【従来の技術】
従来、ファクシミリ装置等に用いられる印字装置においては、印字のためのインクリボンの交換を容易にするために、インクリボンをカセットケース内に収納したリボンカセットを用いることが知られている（例えば特開平７−２８３９１９号公報参照）。
【０００３】
かかるリボンカセットは、インクリボンを供給する筒状のリボン供給部と、インクリボンを巻き取る筒状のリボン巻取り部と、前記両部を連接する連接アーム部とを備え、前記リボン供給部からリボン巻取り部に移動する途中で、プリントヘッドによる印字が行われるようになっている。
【０００４】
また、そのようなリボンカセット１００のケース１００Ａは、再利用することができるようにするために、図１１及び図１２に示すように、前記リボン供給部１０１やリボン巻取り部１０２を、連接アーム部１０３，１０３に連接された本体部１０１ａ，１０２ａと、該本体部１０１ａ，１０２ａに開閉可能に連接された蓋部材１０１ｂ，１０２ｂとから構成されており、リボン供給部１０１には、インクリボン１１６が巻回された供給ロール１１７が収納されており、リボン巻き取り部１０２には、供給ロール１１７から供給されるインクリボン１１６を巻き取る巻き取りロール１１８が収納されている。
【０００５】
さらに、使用時においては、蓋部材１０１ｂ，１０２ｂが勝手に開くのを防止するために、蓋部材１０１ｂ，１０２ｂに被係合部１０４，１０４，１０４，１０４を設け、本体部１０１ａ，１０２ａに該被係合部１０４，１０４，１０４，１０４に係脱可能に係合する係合部１０５，１０５，１０５，１０５を設けている。
【０００６】
また、インクリボン１１６は、図１１に示すように、係合部１０５，１０５，１０５，１０５の内側を通過するように配置されており、リボンカセット１００の軸線方向の長さｈ１はインクリボン１１６の幅ｈ２よりも長くなっている。
【０００７】
そして、リボンカセット１００をファクシミリ装置に装着するには次のようにして行われる。まず、図１３（ａ）に示すように、蓋体１１１を開き、本体ケース１１２側の２つのレバー１１３，１１３を持ち上げ、プリントヘッド１１４を起立させる。それから、図１３（ｂ）に示すように、インクリボンが張った状態となるように、リボンロール（図示せず）を回転する等してインクリボンを締める。図１３（ｃ）に示すように、リボンカセット１００を把持して、矢符１１５を目印として、挿入し、図１３（ｄ）に示すように、本体ケース１１２内の所定の位置に装着する。それから、図１３（ｅ）に示すように、プリントヘッド１１４を倒伏して、蓋体１１１を閉じるという手順で行われる。
【０００８】
【発明が解決しようとする課題】
しかしながら、上述したように構造であると、リボンカセット１００のケース１００Ａはリボン供給部１０１とリボン巻取り部１０２とが細長い連接アーム部１０３，１０３で連接され、ねじり変形しやすい形状であるため、リボンカセット１００を本体ケース１１２内に装着する際に、該リボンカセット１００の持ち方によってはリボンカセット１００にねじり力が作用し、ねじり変形して、前記被係合部１０４，１０４と係合部１０５，１０５との係合が解除され、蓋部材１１１が開放してしまい、インクリボン１１６が露出するおそれがある。また、リボンカセット１００の装着をできるだけ簡単に行いたいという要求もある。
【０００９】
本発明は、かかる点に鑑みてなされたもので、カセット装着時に、ねじり力が作用することなく、リボンカセットを簡単に装着できる印字装置及びファクシミリ装置を提供することを目的とする。
【００１０】
【課題を解決するための手段】
前記目的を達成するために、請求項１の発明は、開口部を有するとともに、内部にリボンカセットが着脱可能に取り付けられている本体ケースと、記録媒体を収納する記録媒体収納部を、開口状態においても、水平面に対し、前記記録媒体収納部から前記記録媒体が落下しない方向に所定の角度を有する状態で備えるとともに、前記本体ケースにヒンジ部材を介して連結されることで前記本体ケースの開口部を開閉可能に閉塞する蓋体とを備える印字装置であって、前記本体ケースは、前記ヒンジ部材付近に設けられ第１及び第２の被係合面を有する被係合部を備え、前記リボンカセットは、インクリボンを供給するリボン供給部と、インクリボンを巻き取るリボン巻取り部と、前記両部を連接する連接部と、前記連接部から突出して設けられた把持部と、前記被係合部の第１の被係合面に当接して、カセット取出しのための回転中心を形成する第１の係合面と、前記リボンカセットの取出し時に、前記第１の係合面に続いて前記被係合部の第２の被係合面に当接し、カセット取出しのための別の回転中心を形成する第２の係合面とを備えることを特徴とする。
【００１１】
よって、リボンカセットの把持部を把持して持ち上げることで、本体ケース側の被係合部の第１の被係合面とリボンカセットの係合部の第１の係合面との係合関係で、カセット取出しのための回転中心を形成するだけでなく、本体ケース側の被係合部の第２の被係合面とリボンカセット側の係合部の第２の係合面との係合関係で、カセット取出しのための別の回転中心を形成するようにしているので、前記本体ケース側の第１の被係合面とリボンカセットの係合部の第１の係合面との係合関係で形成される、カセット取出しのための回転中心についての回転だけでは不十分な場合であっても、カセット取出しのための別の回転中心について回転をさせ、カセットの取出しが確実に行われる。
【００１２】
請求項２の発明は、請求項１に記載の印字装置を備えたことを特徴とする。
【００１３】
よって、ファクシミリ装置において、それの記録手段に用いるリボンカセットの取り付けや取り外しが無理なく行われる。
【００１４】
【発明の実施の形態】
以下、本発明の実施の形態を図面に沿って説明する。
【００１５】
図１は本発明に係るファクシミリ装置の内部構造を示す。ファクシミリ装置１は、開口部２ａ（図３参照）を有し該開口部２ａ内に印字ヘッド３が配設されている本体ケース２と、該本体ケース２の開口部２ａを開閉可能に閉塞する蓋体４とを備える。
【００１６】
そして、蓋体４には、多数の記録紙５，・・（記録媒体）を積層された状態で収納する記録媒体収納部６と、該記録媒体収納部６から記録紙５を取出し、印字ヘッド３を経て、印字後の記録紙５を排出する蓋体４上の空間部である排出部７まで搬送する記録媒体搬送部８が一体的に形成されている。
【００１７】
前記蓋体３の記録媒体搬送部８は、前記記録媒体収納部６より記録紙５を１枚ずつ給紙する給紙ローラ１１、本体ケース２側の印字ヘッド３に対向する位置に設けられたプラテンローラ１２及び、記録紙５を前記蓋体４上の排出部７に排出する排出ローラ１３を有し、これらのローラ１１，１２，１３が搬送方向上流側からこの順に配設されている。また、記録媒体搬送部８は、記録紙５の円滑な搬送のために、プラテンローラ１２と排出ローラ１３との間に配設されたＵ字形状のペーパーガイド１４や、排出ローラ１３に対応して設けられたピンチローラ１５も備えている。尚、前記ローラ１１，１２，１３は、具体的に図示していないが、ＬＦ用モータによってギヤ機構を介して回転駆動される。
【００１８】
よって、記録媒体収納部６に積層されている記録紙５は、記録媒体収納部６から給紙ローラ１１により１枚ずつプラテンローラ１２側へ送り出され、プラテンローラ１２の部位で印字ヘッド３により後述のインクリボン２６ａを介して文字、図形等の画像の記録が行われる。それから、印字された記録紙５は、ペーパーガイド１４によって案内され、ピンチローラ１５と排出ローラ１３との間を通過して、記録媒体収納部６の上側に位置する排出部７に排出されるようになっている。
【００１９】
尚、前記記録媒体収納部６より送り出された記録紙５の先端は、本体ケース２内の用紙搬送経路に対応して設けられた記録紙先端検出センサ（図示せず）によって検出され、その検出信号に基づいて印字ヘッド３による印字タイミングが決定される。また、前記排出部７には、記録紙５の排出を検出する記録紙排出センサ（図示せず）が設けられ、記録（印字）が複数枚連続して行われるとき、画像を記録された記録紙５が完全に排出されたことが記録紙排出センサによって検出されると、次の記録紙５が記録媒体収納部６から給紙ローラ１１によって送り出されるように制御されるようになっており、紙詰まりが回避されるようになっている。
【００２０】
また、図２及び図３に示すように、前記蓋体４は、前記本体ケース２に、回転軸２１を回転中心として回転可能に支持されており、さらに、前記蓋体４の前記本体ケース２に対する回転角度が、規制手段２２によって、前記記録媒体収納部４より記録紙５が落下しない範囲に規制されるようになっている。尚、前記蓋体４はヒンジ部材２３を有し、該ヒンジ部材２３が回転軸２１によって本体ケース２に回転可能に支持されている。
【００２１】
前記蓋体４の回転角度を一定の角度範囲に規制する規制手段２２は、具体的には、前記蓋体４のヒンジ部材２３に設けられた円弧状の長孔であるガイド孔部２３ａと、前記本体ケース２側に設けられ前記ガイド孔部２３ａに移動可能に係合する係合ピン部材２４とを有する。
【００２２】
そして、前記蓋体４が閉じられた状態では、図２に示すように、記録紙５は、水平面に対し略６０゜の角度αをなし、記録紙５の供給がスムーズに行われるようになっているが、蓋体４を開放すると、図３に示すように、規制手段２２を構成するヒンジ部材２３のガイド孔部２３ａと係合ピン部材２４との係合関係によって、蓋体４の開放動作が案内されつつ該蓋体４が回転軸２１について略４０゜の角度βだけ回転され、それによって記録紙５が、水平面に対して略２０゜の角度γをなすようになるが、それ以上の蓋体４の回転は規制され、それ以上蓋体４は開かなくなる。
【００２３】
即ち、ヒンジ部材２３のガイド孔部２３ａと係合ピン部材２４とからなる規制手段２２によって、蓋体４の前記本体ケース２に対する回転角度を水平面に対し０゜〜略４０゜の範囲に規制し、その規制の結果、記録紙５を収納する記録媒体収納部６の、水平面に対する角度の変化範囲を略６０゜〜略２０゜とし、水平状態にもっとも近い状態でも、記録紙５が水平面に対し略２０゜の角度をなし、記録媒体収納部６より記録紙５が落下しないようになっている。尚、前記ガイド孔部２３ａは係合孔部２３ｂを備え、該係合孔部２３ｂに係合ピン部材２４を係合させることで、前記蓋体４の前記本体ケース２に対する回転角度が水平面に対し略４０゜の角度（記録媒体収納部６より記録紙５が落下しない最大角度）を維持するようになっており、それによって蓋体４を最も開いた状態を保持して、本体ケース２の内部に対する各種の作業を行うことが可能となり、そのような作業を行う際に、蓋体４が不用意に閉じて、前記作業を円滑に行うことを妨げるのを防止することができる。
【００２４】
また、前記本体ケース２には、前記印字ヘッド３のほか、通信回線を通じて受信した受信画像情報を一時格納する受信バッファ（図示せず）を備え前記印字ヘッド３による印字を前記受信画像情報に基づき制御する制御手段２５と、印字ヘッド３による印字のために該印字ヘッド３の記録領域幅とほぼ同幅のインクリボン２６ａを収納し開口部２ａ内の所定の位置にセットされるリボンカセット２６が設けられている。尚、前記制御手段２５は、具体的に図示していないが、ＣＰＵと、ＲＯＭと、ＲＡＭとを含むマイクロコンピュータからなり、ＲＡＭが前述した受信バッファを備えている。
【００２５】
前記印字ヘッド３は、記録紙５の送り方向と直交する方向に一列に並ぶ多数の発熱素子を有するサーマルヘッドで構成され、制御手段２５に供給された信号（受信画像情報）に基づいて多数の発熱素子が選択的に加熱されるようになっており、記録紙５に対し、リボンカセット２６のインクリボン２６ａを介して印字を行い、文字、図形等の画像を記録するようになっている。
【００２６】
また、前記本体ケース２には、具体的には図示していないが、液晶ディスプレイ、キーボード等を有し各種の操作を行う操作盤が設けられている。
【００２７】
前記リボンカセット２６は、ポリプロピレンを用いて一体的に成形されたケース２６Ａ内にインクリボン２６ａが収納されてなり、図４〜図８に詳細を示すように、インクリボン２６ａを供給するリボン供給部２７と、該リボン供給部２７から繰り出され印字ヘッド３とプラテンローラ１２との間を経たインクリボン２６ａを巻き取るリボン巻取り部２８と、前記両部２７，２８を連接する連接部２９，３０とを有する。
【００２８】
前記リボン供給部２７は、前記連接部２９，３０に連接された供給部本体２７ａと、該供給部本体２７ａにヒンジ部２７ｃ（いわゆるＰ．Ｐヒンジ）を介して開閉可能に連接された蓋部材２７ｂとを有し、前記供給部本体２７ａの左右両側面部に被係止部３１，３１が設けられる一方、蓋部材２７ｂの左右両側面部に前記被係止部３１，３１に係脱可能に係合して前記供給部本体２７ａに蓋部材２７ｂを係止する係止部３２，３２が設けられている。
【００２９】
前記被係止部３１，３１は、側方に突出する突起である一方、前記係止部３２，３２は、蓋部材２７ｂの他方の側面部にヒンジ部３３，３３（いわゆるＰ．Ｐヒンジ）を介して設けられ前記突起（被係止部３１，３１）が係脱可能に係合する係合孔３２ａ，３２ａを有する。
【００３０】
また、リボン供給部２７は、前記被係止部３１，３１の近傍に設けられた被係合部３４Ａ，３４Ｂと、前記係止部３２，３２の近傍に設けられ前記被係合部３４Ａ，３４Ｂに係脱可能に係合して、前記被係止部３１，３１と係止部３２，３２との係止関係を解除する方向に作用する力に抗する係合関係を構成する係合凸部３５，３５とを有する。尚、前記被係合部３４Ａ，３４Ｂは、一方の被係合部３４Ａが供給部本体２７ａの内壁面で、他方の被係合部３４Ｂが凹部の内壁面でそれぞれ形成しているが、それらを同一の形状とすることもできる。
【００３１】
さらに、前記リボン供給部２７と同様に、前記リボン巻取り部２８も、前記連接部２９，３０に連接された巻取り部本体２８ａと、該巻取り部本体２８ａにヒンジ部２８ｃ（いわゆるＰ．Ｐヒンジ）を介して開閉可能に連接された蓋部材２８ｂとを有し、前記巻取り部本体２８ａの左右両側面部に被係止部３６，３６が設けられる一方、蓋部材２８ｂの左右両側面部に前記被係止部３６，３６に係脱可能に係合して前記巻取り部本体２８ａに蓋部材２８ｂを係止する係止部３７，３７が設けられている。
【００３２】
そして、前記被係止部３６，３６は、側方に突出する突起である一方、前記係止部３７，３７が、蓋部材２８ｂの側面部にヒンジ部材３８，３８を介して設けられ前記突起が係脱可能に係合する係合孔３７ａ，３７ａを有する。それと共に、リボン巻取り部２８は、一方の被係止部３６の近傍に設けられた被係合部である係合凹部４１と、一方の係止部３７の近傍に設けられ前記係合凹部４１に係脱可能に係合して、前記被係止部３６と係止部３７との係止関係を解除する方向に作用する力に抗する係合関係を構成する係合凸部４２とを有する。尚、本例においては、被係合部が係合凹部４１であり、係合凸部４２との間に強固な係合関係が構成されることから、前記被係合部と係合凸部との係合関係はリボン巻取り部２８の一方の側面部においてのみ形成しているが、同様な係合構造を左右両側面部に設けるようにしてもよい。その場合は、前記リボン供給部２７と同様に、左右異なる係合構造が構成されるようにしてもよい。
【００３３】
また、前記連接部２９，３０には、矩形状の把持部４３，４３が突出して設けられ、該把持部４３，４３は、ヒンジ部材２３より離れた側に位置するリボン巻取り部２８付近に位置している。尚、前記把持部４３は矩形状であるが、それに制限されるものではなく、そのほか、機能、レイアウト等を考慮して各種の形状をとり得るのは言うまでもない。
【００３４】
さらに、前記リボン供給部２７及びリボン巻取り部２８においては、インクリボン２６ａを供給する供給ロール４４及びインクリボン２６ａが巻き取られる巻取りロール４５がそれぞれ回転可能に支持される軸受け部２７ｄ，２７ｄ，２８ｄ，２８ｄが左右側面部に形成されている。そして、前記巻取りロール４５は、図示しないモータによってギヤ機構を介して巻取り方向に回転駆動される。インクリボン２６ａは、記録紙５と同期してラインフィードされるが、インクリボン２６ａと記録紙５の送りと、印字ヘッド３によるインクリボン２６ａの記録紙５への圧接とにより記録紙５に画像が記録される。
【００３５】
さらに、前記本体ケース２の、リボン供給部２７の供給ロール４４のロール受け部付近には、図１０Ｒ（ａ）に示すように、第１及び第２の被係合面７１ａ，７１ｂを有する被係合部７１が設けられる一方、前記ヒンジ部材２３に近い側に位置するリボン供給部２７付近に山形形状の係合部７２が設けられ、該係合部７２が、リボンカセット２６の取出し時に、前記被係合部７１の第１の被係合面７１ａ，７１ｂに当接して、カセット取出しのための回転中心を形成する第１の係合面７２ａを有する。また、前記係合部７２は、リボンカセット２６の取出し時に、第１の係合面７２ａに続いて被係合部７１の第２の被係合面７１ｂに当接し、カセット取出しのための別の回転中心を形成する第２の係合面７２ｂも有する。被係合部７１の第１の被係合面７１ａはほぼ水平方向に延び、第２の被係合面７１ｂは第１の被係合面７１ｂに連続してほぼ鉛直方向に延びている。
【００３６】
また、ファクシミリ装置１の前部上側部分には、図１に示すように、原稿７１を一定の速度で送る原稿送り装置５２と、該原稿送り装置５２によって送られる原稿５１に記録されている画像を読み取る原稿読み取り装置５３とが配設され、表面に位置するパネルカバー５４には、ファクシミリ送信等についての各種操作を行うための操作盤（図示せず）が設けられている。尚、前記操作盤は、液晶ディスプレイ、キーボード等を含む。
【００３７】
前記原稿送り装置５２は、原稿５１を取り込む送りローラ５５と、該送りローラ５５に当接し送られる原稿５１を１枚ずつに分離する分離片５６と、該分離片５６を送りローラ５５との接触方向に付勢するＡＤＦ板バネ５７と、コロローラ５８とにより原稿５１を送り出す排紙ローラ５９とを有する。一方、原稿読み取り装置５３は、ホルダ６０を介して本体ケース２に保持される小型読み取りセンサ６１（ＣＩＳ）と、該読み取りセンサ６１に対向して設けられたシロプラテンローラ６２とを有する。
【００３８】
そして、送信のための原稿５１が、覆われる原稿受け部６３に載せられると、そのことが、図示しない原稿検出センサによって検出され、原稿５１は、分離片５６と送りローラ５５とによって１枚ずつに確実に分離されて、読み取りセンサ６１が配設されている原稿読み取り位置に送られる。尚、前記原稿検出センサは、原稿５１の有無を検出すると共に、Ｂ４サイズの原稿か、Ａ４サイズの原稿であるか、あるいはレターサイズの原稿であるかを検出する２つのセンサで構成されている。
【００３９】
原稿読み取り位置においては、原稿５１に記録されている画像が読み取りセンサ６１にて光学的に読み取られ、それから、読み取り終了後の原稿５１はコロローラ５８と排紙ローラ５９とによって送られて、最終的にファクシミリ装置１の前方に排出される。
【００４０】
従って、上記ファクシミリ装置において、リボンカセット２６を本体ケース２の開口部２ａ内に装着する場合には、図９（ａ）に示すように、まず、巻き取りロール４５を回転させてインクリボンが張った状態とし、把持部４３，４３を把持して、図９（ｂ）に示すように、矢符を目印として、本体ケース２内に挿入する。それから、図９（ｃ）に示すように、把持部４３，４３を把持した状態のまま、リボンカセット２６を下方に変位させ、所定の位置即ちロール受け部に供給ロール４４の軸部が係合する位置にセットした後、図９（ｄ）に示すように、蓋体４を閉じる。
【００４１】
一方、リボンカセット２６を取り出す場合は、両手でリボンカセット２６の把持部４３，４３をそれぞれ把持し、上方に持ち上げるが、この持ち上げによって、リボンカセット２６側の係合部７２と、本体ケース２の軸受け部材５０側の被係合部７１との係合関係により、把持部４３，４３を把持してリボンカセット２６を取り外す際、回転中心が変化して、本体ケース２の開口部２ａに対する蓋体４の開放角度が小さくても、無理なく取り外すことができる。
【００４２】
即ち、リボンカセット２６の把持部４３，４３を把持して、リボン巻取り部２９側を上方に持ち上げると、図１０（ａ）に示す状態から図１０（ｂ）に示すように、係合部７２が被係合部７１の第１の被係合面７１ａ上に乗り上げるようになり、リボンカセット２６の回転中心が前記供給ロール４４のロール軸から係合部７２の第１の係合面７２ａと被係合部７１の第１の係合面７１ａの接触部分へと変化し、蓋体４の開放角度が小さくても、リボンカセット２６の立ち上がりを大きくなり、取出しやすくなる。さらに、リボン巻取り部２９側を持ち上げると、次に、図１０（ｃ）に示すように、係合部７２の第２の係合面７２ｂが被係合部７１の第２の被係合面７１ｂに接触して、リボンカセット２６の回転中心がそれらの接触部分へと変化し、リボンカセット２６の立ち上がりがより大きくなって、より取出しやすくなる。
【００４３】
このように構成すれば、リボン供給部２７とリボン巻取り部２８とを連接する連接部２９，３０に、把持部４３，４３を突出して設けているので、両手で把持部４３，４３をそれぞれ把持することで、リボンカセット２６にねじり力等の無理な力を作用させることなく、カセットの取り付け又は取り外しを容易に行うことができる。よって、リボン供給部２７やリボン巻取り部２８の蓋部材２７ｂ，２８ｂが、リボンカセット２６の着脱の際に、不用意に開くことがない。
【００４４】
しかも、そのような把持部４３，４３を、前記リボン巻取り部２８付近に設けているので、比較的重量があるリボン巻取り部２８付近に位置する把持部４３，４３を把持して、リボンカセット２６の取り付けや取り外しを行うこととなり、それらを安定して行うことができる。
【００４５】
特に、そのような把持部４３，４３を、前記ヒンジ部材２３に近いリボン供給部２７付近でなく、ヒンジ部材２３より離れた側に位置するリボン巻取り部２８付近に配置しているので、蓋体４の開き状態にかかわりなく、把持部４３，４３を把持して、ファクシミリ装置１へのリボンカセット２６の取り付け又は取り外しを容易に行うことができる。よって、前述した例とは異なり、本体ケースに蓋体を開閉するためのヒンジ部材２３より離れた側にリボンカセットのリボン供給部が位置するレイアウトの場合は、リボン供給部付近に前述した如き把持部を設けるのが望ましい。
【００４６】
さらに、両手で把持部４３，４３をそれぞれ把持して持ち上げることで、本体ケース２側の係合部７１の第１の被係合面７１ａとリボカセット２６の係合部７１の第１の係合面７１ａとの係合関係で、カセット取出しのための回転中心が形成されるので、カセットの取出しを無理なく行うことができる。
【００４７】
それに加えて、本体ケース２側の被係合部７１の第２の被係合面７１ｂとリボンカセット２６の係合部７２の第２係合面７２ｂとの係合関係で、カセット取出しのための別の回転中心を形成するようにしているので、本体ケース２側の第１の被係合面７１ａとリボンカセット２６側の第１の係合面７２ａとの係合関係で形成される、カセット取出しのための回転中心についての回転だけでは不十分な場合であっても、カセット取出しのための別の回転中心について回転をさせ、リボンカセット２６の取出しを確実に行うことが可能となる。
【００４８】
上記実施の形態においては、ファクシミリ装置に適用した例について説明しているが、本発明はそれに限定されるものではなく、原稿読み取り機能を備えない印字装置においても、記録媒体収納部と、該記録媒体収納部から記録媒体を取出し、印字部を経て印字後の記録媒体を排出する排出部まで搬送する記録媒体搬送部とを備える印字装置であれば、同様に適用することができる。
【００４９】
【発明の効果】
本発明は、以上に説明したような形態で実施され、以下に述べるような効果を奏する。
【００５０】
請求項１の発明は、印字装置において、リボンカセットの把持部を把持して持ち上げることで、本体ケース側の被係合部の第１の被係合面とリボンカセットの係合部の第１の係合面との係合関係で、カセット取出しのための回転中心を形成するだけでなく、本体ケース側の被係合部の第２の被係合面とリボンカセット側の係合部の第２の係合面との係合関係で、カセット取出しのための別の回転中心を形成するようにしているので、前記本体ケース側の第１の被係合面とリボンカセットの係合部の第１の係合面との係合関係で形成される、カセット取出しのための回転中心についての回転だけでは不十分な場合であっても、カセット取出しのための別の回転中心について回転をさせ、カセットの取出しを確実に行うことが可能となる。
【００５１】
請求項２の発明は、記録手段として、請求項１に記載の印字装置を備えるので、ファクシミリ装置において、それの印字部のリボンカセットの取り付けや取り外しを無理なく行うことができる。
【図面の簡単な説明】
【図１】  本発明に係るファクシミリ装置の内部構造を示す中央縦断面図である。
【図２】  同ファクシミリ装置の本体ケースと蓋体との関係を示す中央縦断面図である。
【図３】  同ファクシミリ装置の蓋体が開放された状態を示す中央縦断面図である。
【図４】  リボンカセットのリボン供給部及びリボン巻取り部が開いた状態の平面図である。
【図５】  同右側面図である。
【図６】  同左側面図である。
【図７】  同平面図である。
【図８】  同底面図である。
【図９】  本発明に係るリボンカットの装着手順の説明図である。
【図１０】  同詳細図である。
【図１１】  従来の、蓋体が開いた状態のリボンカセットの平面図である。
【図１２】  同中央断面図である。
【図１３】  従来のリボンカセットの装着手順の説明図である。
【符号の説明】
１  ファクシミリ装置
２  本体ケース
２ａ  開口部
３  印字ヘッド
４  蓋体
５  記録紙（記録媒体）
６  記録媒体収納部
７  排出部
８  記録媒体搬送部
１１  給紙ローラ
１２  プラテンローラ
１３  排出ローラ
２２  規制手段
２２ａ  ガイド孔部
２４  係合ピン部材
２６  リボンカセット
２７  リボン供給部
２８  リボン巻取り部
２９  連接部
３１  係止部
３２  被係止部
３４Ａ  被係合部
３４Ｂ  被係合部
３５  係合凸部
４３  把持部
７１  被係合部
７１ａ  第１の被係合面
７１ｂ  第２の被係合面
７２  係合部
７２ａ  第１の係合面
７２ｂ  第２の係合面
【図１】
0003721684.tif 000002
【図２】
0003721684.tif 000003
【図３】
0003721684.tif 000004
【図４】
0003721684.tif 000005
【図５】
0003721684.tif 000006
【図６】
0003721684.tif 000007
【図７】
0003721684.tif 000008
【図８】
0003721684.tif 000009
【図９】
0003721684.tif 000010
【図１０】
0003721684.tif 000011
【図１１】
0003721684.tif 000012
【図１２】
0003721684.tif 000013
【図１３】
0003721684.tif 000014